(57)【特許請求の範囲】
【請求項１】
一対の挟み部材と、前記一対の挟み部材の中間部同士を互いに回転可能に支持する連結部と、を備え、
前記一対の挟み部材は、架空配線された幹電線を収容する幹電線収容溝、および該幹電線に接続される分岐電線を収容する分岐電線収容部を備える分岐用スリーブを、挟むスリーブ把持部と、前記幹電線および前記分岐電線を同時に保持可能な電線把持部と、が形成されていることを特徴とする分岐用スリーブクリップ。
【請求項２】
前記スリーブ把持部は、前記分岐用スリーブを挟んだ状態で、該分岐用スリーブに収容された前記幹電線を保持する幹電線保持部を備えていることを特徴とする請求項１に記載の分岐用スリーブクリップ。
【請求項３】
前記一対の挟み部材は、前記分岐用スリーブの前記幹電線収容溝に収容された前記幹電線と、前記分岐電線と、を同時に保持可能であることを特徴とする請求項１または請求項２に記載の分岐用スリーブクリップ。
【請求項４】
前記スリーブ把持部は、前記分岐用スリーブを挟んだ状態で、前記分岐用スリーブに形成された前記分岐電線収容部内に向けて、前記分岐電線の露出導体部を案内する案内部を備え、
前記案内部は、前記一対の挟み部材を閉じたときに、前記分岐電線の前記露出導体部の径寸法より大きい貫通口を形成し、当該貫通口の外側の開口部から内側に向けて漸次径寸法が小さくなるテーパ面を備えていることを特徴とする請求項１〜請求項３のいずれか一項に記載の分岐用スリーブクリップ。
【発明の詳細な説明】
【技術分野】
【０００１】
本発明は分岐用スリーブクリップに関し、さらに詳しくは、圧縮して電線同士を固定して電気的接続を図るための分岐用スリーブを保持する分岐用スリーブクリップに関する。
【背景技術】
【０００２】
従来、アルミニウム製の高圧配電線（高圧幹線）とアルミニウム製の高圧分岐電線（分岐線）とを接続する場合、アルミニウム製の分岐用スリーブ（電線分岐用圧縮スリーブ）が用いられている。具体的には、分岐用スリーブは、高圧配電線と高圧分岐電線とのそれぞれを収容する導体収容溝が形成されている。そして、これら導体収容溝の縁部には、仮押さえリブがそれぞれ設けられている。このような分岐用スリーブを高圧配電線と高圧分岐電線とを仮押さえリブにて仮押さえした状態で圧縮することにより、高圧配電線と高圧分岐電線とを一体化させて電気的な接続を行っている。
【０００３】
このような分岐用スリーブを使用して間接活線工法は、以下のような手順で行われる。まず、高圧配電線と高圧分岐電線の接続部分をスリーブの長さに合わせて絶縁被覆を剥ぎ取り露出導体部の表面を磨く。次に、分岐用スリーブの導体収容溝に高圧配電線の露出導体部を収容させ、分岐用スリーブの仮押さえリブを折り曲げて仮止めする。そして、分岐用スリーブのもう一方の導体収容溝の仮押さえリブを折り曲げる。この時点で高圧分岐電線の露出導体部に挿入する。高圧配電線と高圧分岐電線とで分岐用スリーブを把持した状態で、電線同士をクイックまたはやっとこ等で把持する。この状態では、分岐用スリーブが電線に挟まれた状態を保持でき、落下の恐れがなくなる。最後に、圧縮工具を用いて分岐用スリーブを圧縮すれば、接続が完了する。従来は、分岐用スリーブが高圧配電線や高圧分岐電線から脱落しないようにするため、クイックまたはやっとこ等の間接活線工具を用いて操作することが知られている（例えば、特許文献１および特許文献２参照）。
【先行技術文献】
【特許文献】
【０００４】
【特許文献１】特開２０１１−８９６２９号公報
【特許文献２】特開２０１２−２０００８９号公報
【発明の概要】
【発明が解決しようとする課題】
【０００５】
しかしながら、分岐用スリーブを保持するための専用工具はないため、風等による高圧配電線の振動や、高圧分岐電線の挿入動作等により、分岐用スリーブが落下する恐れがある。
【０００６】
本発明は、上記の課題に鑑みてなされたものであって、作業性が高く分岐用スリーブの落下を防止できる分岐用スリーブクリップを提供することを目的とする。
【課題を解決するための手段】
【０００７】
上述した課題を解決し、目的を達成するために、本発明の態様は、分岐用スリーブクリップであって、一対の挟み部材と、一対の挟み部材の中間部同士を互いに回転可能に支持する連結部と、を備え、一対の挟み部材は、架空配線された幹電線を収容する幹電線収容溝、および幹電線に接続される分岐電線を収容する分岐電線収容部を備える分岐用スリーブを、挟むスリーブ把持部と、幹電線および分岐電線を同時に保持可能な電線把持部と、が形成されていることを特徴とする。
【０００８】
上記態様としては、スリーブ把持部は、分岐用スリーブを挟んだ状態で、分岐用スリーブに収容された幹電線を保持する幹電線保持部を備えていることが好ましい。
【０００９】
上記態様としては、一対の挟み部材は、分岐用スリーブの幹電線収容溝に収容された幹電線と、分岐電線と、を同時に保持可能であることが好ましい。
【００１０】
上記態様としては、スリーブ把持部は、分岐用スリーブを挟んだ状態で、分岐用スリーブに形成された分岐電線収容部内に向けて、分岐電線の露出導体部を案内する案内部を備え、案内部は、一対の挟み部材を閉じたときに、分岐電線の露出導体部の径寸法より大きい貫通口を形成し、貫通口の外側の開口部から内側に向けて漸次径寸法が小さくなるテーパ面を備えていることが好ましい。
【発明の効果】
【００１１】
本発明によれば、作業性が高く分岐用スリーブの落下を防止できる分岐用スリーブクリップを実現することができる。
【図面の簡単な説明】
【００１２】
【図１−１】図１−１は、本発明の第１の実施の形態に係る分岐用スリーブクリップの平面図である。
【図１−２】図１−２は、本発明の第１の実施の形態に係る分岐用スリーブクリップの側面図である。
【図１−３】図１−３は、本発明の第１の実施の形態に係る分岐用スリーブクリップを開いた状態を示す側面図である。
【図２】図２は、分岐用スリーブの分岐電線収容溝（分岐電線収容部）の仮押さえリブを折り曲げた状態を示す側面図である。
【図３−１】図３−１は、本発明の第１の実施の形態に係る分岐用スリーブクリップを用いた間接活線工法において分岐用スリーブの幹電線収容溝内に幹電線の露出導体部を収容させる動作を示す正面図である。
【図３−２】図３−２は、本発明の第１の実施の形態に係る分岐用スリーブクリップを用いた間接活線工法において分岐用スリーブの仮押さえリブを閉じた状態を示す正面図である。
【図３−３】図３−３は、分岐用スリーブを幹電線の露出導体部に仮止めした状態において第１の実施の形態に係る分岐用スリーブクリップで分岐用スリーブを把持した状態を示す正面図である。
【図３−４】図３−４は、分岐用スリーブを幹電線の露出導体部に仮止めし、第１の実施の形態に係る分岐用スリーブクリップで分岐用スリーブを把持した状態で、分岐電線の露出導体部を分岐用スリーブの分岐電線収容溝内に挿入した状態を示す正面図である。
【図３−５】図３−５は、幹電線側に仮止めし、かつ分岐電線収容溝内に分岐電線の露出導体部を挿入した状態において、第１の実施の形態に係る分岐用スリーブクリップで幹電線と分岐電線とを把持した状態を示す正面図である。
【図３−６】図３−６は、幹電線および分岐電線を分岐用スリーブクリップで把持した状態で分岐用スリーブを圧縮した状態を示す正面図である。
【図４−１】図４−１は、本発明の第２の実施の形態に係る分岐用スリーブクリップの平面図である。
【図４−２】図４−２は、本発明の第２の実施の形態に係る分岐用スリーブクリップの側面図である。
【図４−３】図４−３は、本発明の第２の実施の形態に係る分岐用スリーブクリップを開いた状態を示す側面図である。
【図５−１】図５−１は、本発明の第３の実施の形態に係る分岐用スリーブクリップの平面図である。
【図５−２】図５−２は、本発明の第３の実施の形態に係る分岐用スリーブクリップの一方の側面側から見た側面図である。
【図５−３】図５−３は、本発明の第３の実施の形態に係る分岐用スリーブクリップの他方の側面側から見た側面図である。
【図５−４】図５−４は、本発明の第３の実施の形態に係る分岐用スリーブクリップを開いた状態を示す側面図である。
【図６−１】図６−１は、本発明の第４の実施の形態に係る分岐用スリーブクリップの平面図である。
【図６−２】図６−２は、本発明の第４の実施の形態に係る分岐用スリーブクリップの一方の側面側から見た側面図である。
【図６−３】図６−３は、本発明の第４の実施の形態に係る分岐用スリーブクリップの他方の側面側から見た側面図である。
【図６−４】図６−４は、本発明の第４の実施の形態に係る分岐用スリーブクリップを開いた状態を示す側面図である。
【図７】図７は、図４−２におけるV−V断面図である。
【発明を実施するための形態】
【００１３】
以下に、本発明の各実施の形態に係る分岐用スリーブクリップの詳細を図面に基づいて説明する。
【００１４】
［第１の実施の形態］
（分岐用スリーブクリップの構成）
図１−１〜図１−３は、本発明の第１の実施の形態に係る分岐用スリーブクリップ１を示している。分岐用スリーブクリップ１は、一対の挟み部材２と、これら一対の挟み部材２を互いに中間部同士が回転自在になるように支持、連結する連結部３と、を備える。
【００１５】
挟み部材２は、連結部３を基準にして先端側の挟み部２１と、連結部３を基準にして基部側の把持部２２と、を備えている。図１−１に示すように、一対の挟み部２１の互いに外側となる外側面には、補強用リブ２１Ａが適宜形成されている。図１−２に示すように、それぞれの挟み部材２における挟み部２１の先端側には、互いに臨むように形成されたスリーブ把持用凹部２３Ａが形成されている。これら一対の挟み部材２におけるスリーブ把持用凹部２３Ａが形成された部分は、スリーブ把持部２３を構成している。このスリーブ把持部２３は、例えば図２に示すような、周知の分岐用スリーブ４を把持する場合に用いる（図３−４参照）。
【００１６】
図２に示すように、この分岐用スリーブ４は、略楕円柱形状であり、アルミニウムでなる。この電線分岐用圧縮スリーブ４は、所謂Ｈ型と称される構造を有している。すなわち、図２に示すように、分岐用スリーブ４は、楕円長軸方向の一方側に形成された幹電線収容溝４１と、楕円長軸方向の他方側に形成された分岐電線収容溝４２と、が楕円柱の軸方向に沿って平行をなすように形成されている。幹電線収容溝４１の両脇の縁部のうち一方側には、仮押さえリブ４１Ａが形成されている。また、分岐電線収容溝４２の両脇の縁部のうち一方側には、仮押さえリブ４２Ａが形成されている。仮押さえリブ４１Ａは、幹電線収容溝４１に後述する幹電線５を収容したときにこの幹電線収容溝４１の溝入口を覆うことができる程度の幅を有する長方形状に形成されている。同様に、仮押さえリブ４２Ａは、分岐電線収容溝４２に後述する分岐電線６を収容したときにこの幹電線収容溝４２の溝入口を覆うことができる程度の幅を有する長方形状に形成されている。
【００１７】
また、それぞれの挟み部材２における挟み部２１の基部側（連結部３側）には、互いに臨むように形成された電線把持用凹部２４Ａが形成されている。図１−２に示すように、これら電線把持用凹部２４Ａの底部同士は、挟み部２１同士を閉じた状態で互いに略平行をなすように設定されている。これら一対の挟み部材２における電線把持用凹部２４Ａが形成された部分は、電線把持部２４を構成している。図３−５に示すように、この電線把持部２４は、幹電線５および分岐電線６を挟むことができる。したがって、挟み部２１同士を接触させて閉じた状態において、電線把持用凹部２４Ａの底部同士の距離は、幹電線５や分岐電線６の直径よりも短く設定されている。
【００１８】
図１−１に示すように、把持部２２は、例えば間接活線工具で操作される部分であり、矩形の板状に形成されている。また、把持部２２の外側面には、間接活線工具と接触したときに、間接活線工具が滑らないように細かい凹凸が形成された摩擦面となっている。なお、把持部２２の幅方向の一方側には、例えば間接活線工具で操作する場合に、この把持部２２の幅方向へ間接活線工具が離脱し難いようにリブ２２Ａが形成されている。このリブ２２Ａは、把持部２２の補強用リブとしての機能も備える。このような、一対の把持部２２が互いに離間した状態において、例えば間接活線工具を用いてこれら一対の把持部２２同士を互いに近接させることで、連結部３を介して互いに回動する挟み部材２の挟み部２１同士が離間して開いた状態に切り替えられる。なお、本実施の形態に係る分岐用スリーブクリップ１においては、挟み部２１同士が互いに接触する方向へ付勢されるように、図示しないスプリングが連結部３に設けられている。
【００１９】
このような本実施の形態に係る分岐用スリーブクリップ１では、スリーブ把持部２３が挟み部２１の先端側に設けられているため、分岐用スリーブ４を把持する際に、挟み部２１同士を容易に開くことができ、把持操作が容易である。また、電線把持部２４は、挟み部２１の基部側に設けるため、保持力を大きくすることができる。
【００２０】
（分岐用スリーブクリップを用いた電線接続方法）
まず、図２において破線で示すように、分岐用スリーブ４における仮押さえリブ４２Ａを予め折り曲げておく。そして、図３−１に示すように、例えば、図示しない電柱同士の間を連絡するように張られた架空配電線である幹電線５において、分岐電線６を接続する箇所の被覆部５１の絶縁被覆を剥離して露出導体部５２を作製しておく。そして、図示しない周知の間接活線工具を用いて、図３−１に示すように分岐用スリーブ４の幹電線収容溝４１に幹電線５の露出導体部５２が収容されるように操作を行う。その後、図３−２に示すように、仮押さえリブ４１Ａで幹電線収容溝４１を閉塞するように、この仮押さえリブ４１Ａを折り曲げる。
【００２１】
次に、図３−３に示すように、分岐用スリーブ４を分岐用スリーブクリップ１のスリーブ把持部２３で把持する。そして、幹電線５と分岐電線６とを、やっとこ７で把持する。このとき、分岐電線６の先端部は、被覆部６１の絶縁被覆を剥離して露出導体部６２を作製しておく。そして、図３−４に示すように、やっとこ７で分岐電線６を保持した状態で、幹電線５に沿ってやっとこ７を分岐用スリーブ４側へ向けて移動させ、分岐電線６の露出導体部６２の先端を、分岐用スリーブ４の分岐電線収容溝４２内に挿入する。
【００２２】
次に、図３−５に示すように、分岐用スリーブクリップ１を分岐用スリーブ４から外して、幹電線５と分岐電線６をと電線把持部２４でともに把持する。そして、この状態で、図示しない圧縮機を用いて分岐用スリーブ４を圧縮することにより、図３−６に示すように、分岐電線６を幹電線５へ接続作業が終了する。
【００２３】
本実施の形態に係る分岐用スリーブクリップ１により、分岐用スリーブ４が落下することを防止でき、接続作業の安全性を向上することができる。特に、本実施の形態では、スリーブ把持部２３を挟み部材２の先端側に配置しているため、スリーブ把持用凹部２３Ａ同士を互いに大きく開かせることができ、分岐用スリーブ４が把持し易くなる。また、本実施の形態では、電線把持部２４を挟み部材２において連結部３側に設けているため、電線を保持する保持力が大きくなり、分岐電線６を落下させることを防止できる。
【００２４】
（第２の実施の形態）
図４−１〜図４−３は、本発明の第２の実施の形態に係る分岐用スリーブクリップ１Ａを示している。本実施の形態に係る分岐用スリーブクリップ１Ａでは、第１の実施の形態に係る分岐用スリーブクリップ１のように電線把持部２４に電線把持用凹部２４Ａを形成せずに、挟み部２１の内側面同士で電線を挟むようにしたものである。挟み部材２同士を閉じた状態における挟み部２１の内側面同士の隙間は、幹電線５や分岐電線５の径寸法よりも狭くなるように設定されている。また、分岐用スリーブクリップ１Ａにおけるスリーブ把持用凹部２３Ｂは、第１の実施の形態に係る分岐用スリーブクリップ１のスリーブ把持用凹部２３Ａよりも凹部深さが深くなるように設定されている。スリーブ把持部２３の形状は、挟む分岐用スリーブ４の設計に応じて適宜変更される。本実施の形態の分岐用スリーブクリップ１Ａにおける他の構成は、上記第１の実施の形態に係る分岐用スリーブクリップ１の構成と略同様であり、分岐用スリーブクリップ１と同様の作用・動作を奏する。
【００２５】
（第３の実施の形態）
図５−１〜図５−４は、本発明の第３の実施の形態に分岐用スリーブクリップ１Ｂを示している。本実施の形態に係る分岐用スリーブクリップ１Ｂは、上記第１の実施の形態に係る分岐用スリーブクリップ１におけるスリーブ把持部２３に、幹電線保持部として幹電線保持用凹部２５Ａを有する幹電線保持用パネル２５をスリーブ把持部２３の側部に一体に形成している。
【００２６】
このような構造を有する本実施の形態の分岐用スリーブクリップ１Ｂでは、スリーブ把持部２３が分岐用スリーブ４を把持するとともに、この分岐用スリーブ４に収容された幹電線５も幹電線保持用パネル２５で挟むことで把持できる。このため、幹電線５に分岐用スリーブクリップ１Ｂを確実に保持でき、かつこの分岐用スリーブクリップ１Ｂが分岐用スリーブ４を確実に保持するため、幹電線５と分岐用スリーブ４５とを一体に保持できる。
【００２７】
（第３の実施の形態の変形例）
図６−１〜図６−４は、上記第３の実施の形態に係る分岐用スリーブクリップ１Ｂの変形例を示している。本実施の形態に係る分岐用スリーブクリップ１Ｃでは、上記幹電線保持用パネル２５における、分岐用スリーブ４の分岐電線収容溝４２に対応する位置に、分岐電線６の露出導体部６２の先端を案内する案内部２５Ｂを形成している。この案内部２５Ｂは、一対の挟み部２１を閉じたときに、分岐電線６の露出導体部６２の径寸法より大きい貫通口を形成し、この貫通口の外側の開口部から内側に向けて漸次径寸法が小さくなるテーパ面となっている。このため、図７に示すように、分岐用スリーブクリップ１Ｃでは、案内部２５Ｂが、分岐電線６の露出導体部６２の端部を、分岐用スリーブ４の分岐電線収容溝４２に案内するため、間接活線工法の作業性を向上することができる。
る。
【００２８】
（その他の実施の形態）
以上、各実施の形態および変形例について説明したが、本発明はこれに限定されるものではなく、各種の設計変更が可能である。例えば、上記各実施の形態では、所謂Ｈ型の分岐用スリーブ４を用いて説明したが、所謂ＣＯ型の分岐用スリーブやその他のタイプの分岐用スリーブを使用した間接活線工法に、本発明に係る分岐用スリーブクリップを適用できることは云うまでもない。
【符号の説明】
【００２９】
１，１Ａ，１Ｂ，１Ｃ  分岐用スリーブクリップ
２  挟み部材
３  連結部
４  分岐用スリーブ
５  幹電線
６  分岐電線
２１  挟み部
２２  把持部
２３  スリーブ把持部
２３Ａ  スリーブ把持用凹部
２４  電線把持部
２４Ａ  電線保持用凹部
２５  幹電線保持用パネル
２５Ａ  幹電線保持用凹部
４１  幹電線収容溝
４１Ａ  仮押さえリブ
４２  分岐電線収容溝
４２Ａ  仮押さえリブ
５１，６１  被覆部
５２，６２  露出導体部
【要約】
【課題】作業性が高く分岐用スリーブの落下を防止できる分岐用スリーブクリップを提供すること。
【解決手段】一対の挟み部材２と、これら一対の挟み部材２の中間部同士を互いに回転可能に支持する連結部３と、を備え、一対の挟み部材２は、架空配線された幹電線や分岐電線を収容する分岐用スリーブを、挟むスリーブ把持部２３と、幹電線および分岐電線を同時に保持可能な電線把持部２４と、が形成されている。
【選択図】図１−２【図１−１】
0005497212.tif 000002
【図１−２】
0005497212.tif 000003
【図１−３】
0005497212.tif 000004
【図２】
0005497212.tif 000005
【図３−１】
0005497212.tif 000006
【図３−２】
0005497212.tif 000007
【図３−３】
0005497212.tif 000008
【図３−４】
0005497212.tif 000009
【図３−５】
0005497212.tif 000010
【図３−６】
0005497212.tif 000011
【図４−１】
0005497212.tif 000012
【図４−２】
0005497212.tif 000013
【図４−３】
0005497212.tif 000014
【図５−１】
0005497212.tif 000015
【図５−２】
0005497212.tif 000016
【図５−３】
0005497212.tif 000017
【図５−４】
0005497212.tif 000018
【図６−１】
0005497212.tif 000019
【図６−２】
0005497212.tif 000020
【図６−３】
0005497212.tif 000021
【図６−４】
0005497212.tif 000022
【図７】
0005497212.tif 000023